(57)【特許請求の範囲】
【請求項１】
少なくとも１つのフィルム形成ポリマーを含有した液体製品（Ｐ）を微小液滴の形態で噴霧するためのスプレー機（１、１０１）であって、
前記液体（Ｐ）、および、少なくとも１つの推進ガス（Ｇ）を収容した容器（２、１０２）と；
該容器（２、１０２）上に取り付けられ前記液体を噴霧するためのものであって、通路（ｐ）を介して相互連通された第１チャンバ（２８ａ、１２８ａ）および第２チャンバ（２８ｂ、１２８ｂ）が設けられたボディ（２４、１２４）を備えたバルブ（１５、１１５）と；
前記製品を噴霧するために前記バルブを駆動するための可動手段（１６、１１６）と；を具備してなり、
前記第１チャンバ（２８ａ、１２８ａ）には、第１付加的ガス取込開口（ｄ1）、および、前記液体と連通状態とされ前記液体を取り込むための第２開口（ｄ2）が設けられ；
前記第２チャンバ（２８ｂ、１２８ｂ）は、少なくとも一部に前記駆動手段（１６）を含有し；
前記液体は、前記製品の総重量の少なくとも１５％の比率で水を含有し；
前記第１開口（ｄ1）および前記第２開口（ｄ2）は、ｄ1の直径／ｄ2の直径の比が約０．３〜１であるような直径とされ；
前記第２チャンバの出口側に噴霧ダクト（ｇ）が設けられ、該噴霧ダクト（ｇ）の断面積が、通路（ｐ）の断面積よりも大きく、その上、通路（ｐ）は、製品がこの通路（ｐ）を通った後にはこの通路（ｐ）の直径よりも小さないかなる障害にも出くわすことがないようなものとされ、そのため、前記製品（Ｐ）の噴霧時における前記バルブの放出速度が、前記通路（ｐ）の断面積によって規定されていることを特徴とするスプレー機。
【請求項２】
さらに、前記バルブと連通している噴霧ノズルが設けられた噴霧ヘッドを具備していることを特徴とする請求項１記載のスプレー機。
【請求項３】
前記ノズルは、渦巻式ノズル、あるいは、準渦巻式ノズルであることを特徴とする請求項２記載のスプレー機。
【請求項４】
前記バルブは、押下タイプのバルブであることを特徴とする請求項１ないし３のいずれかに記載のスプレー機。
【請求項５】
前記バルブの前記駆動手段は、前記バルブボディ（２４、１２４）から突出した中空駆動ステム（１６、１１６）を備え、該ステムは、前記バルブボディ内に収容された弾性復元性部材（３４）を押込可能に構成されていることを特徴とする請求項１ないし４のいずれかに記載のスプレー機。
【請求項６】
前記ステムは、前記バルブの休止位置においては閉塞されかつ前記製品の噴霧時には開放される噴霧ダクト（ｇ）を備え、
このダクト（ｇ）は、前記通路（ｐ）の直径よりも大きな直径を有していることを特徴とする請求項５記載のスプレー機。
【請求項７】
前記ダクト（ｇ）は、約０．４ｍｍ〜約１．０ｍｍの直径を有していることを特徴とする請求項６記載のスプレー機。
【請求項８】
前記通路（ｐ）は、前記製品の放出速度が噴霧時において約２００ｍｇ／ｓ〜約６００ｍｇ／ｓとなるように選択された直径を有していることを特徴とする請求項１ないし７のいずれかに記載のスプレー機。
【請求項９】
前記通路（ｐ）は、約０．２ｍｍ〜約０．５ｍｍの直径を有していることを特徴とする請求項１ないし８のいずれかに記載のスプレー機。
【請求項１０】
前記第１開口（ｄ1）は、最大でも、前記第２開口（ｄ2）の直径に等しい直径を有していることを特徴とする請求項１ないし９のいずれかに記載のスプレー機。
【請求項１１】
前記第１開口（ｄ1）は、約０．２ｍｍ〜約０．６ｍｍの直径を有していることを特徴とする請求項１ないし１０のいずれかに記載のスプレー機。
【請求項１２】
前記第２開口（ｄ2）は、約０．２ｍｍ〜約０．６ｍｍの直径を有していることを特徴とする請求項１ないし１１のいずれかに記載のスプレー機。
【請求項１３】
前記第１チャンバ（２８ａ、１２８ａ）および前記第２チャンバ（２８ｂ、１２８ｂ）は、同一軸（Ｘ）上に位置合わせされていることを特徴とする請求項１ないし１２のいずれかに記載のスプレー機。
【請求項１４】
前記製品（Ｐ）は、セット用ローション、ブラッシング用ローション、あるいは、髪用ラッカーといった髪用製品であることを特徴とする請求項１ないし１３のいずれかに記載のスプレー機。
【請求項１５】
前記ポリマーは、前記製品中に分散されていることを特徴とする請求項１ないし１４のいずれかに記載のスプレー機。
【請求項１６】
前記ポリマーは、スチレン、ブタジエン、エチレン、プロピレン、トルエンビニル、プロピネートビニル、ビニルアルコール、アクリロニトリル、クロロプレン、ビニルアセテート、ウレタン、イソプレン、イソブテン、および、アクリル酸またはメタクリル酸、マレイン酸、クロトン酸またはイタコン酸、のエステルまたはアミド、ビニルエーテル、ビニルピロリドン、ビニルイミダゾールの中から選択されたモノマーの重合または共重合の結果として得られたものであることを特徴とする請求項１ないし１５のいずれかに記載のスプレー機。
【請求項１７】
前記ポリマーは、ポリエステル、ポリアミド、ポリウレタン、および、ポリエーテルの中から選択されたものであることを特徴とする請求項１ないし１６のいずれかに記載のスプレー機。
【請求項１８】
前記ポリマーは、前記製品の総重量（推進ガスを除く）の少なくとも１５％に等しい比率で存在していることを特徴とする請求項１ないし１７のいずれかに記載のスプレー機。
【請求項１９】
前記ポリマーの比率は、前記製品の総重量（推進ガスを除く）の１５％〜５０％に選択されていることを特徴とする請求項１ないし１８のいずれかに記載のスプレー機。
【請求項２０】
前記ポリマーの比率は、前記製品の総重量（推進ガスを除く）の１５％〜３５％に選択されていることを特徴とする請求項１ないし１９のいずれかに記載のスプレー機。
【請求項２１】
前記製品は、エチルアルコールを含有していることを特徴とする請求項１ないし２０のいずれかに記載のスプレー機。
【請求項２２】
前記推進ガス（Ｇ）は、揮発性ハイドロカーボン、ジメチルエーテル、二酸化炭素、一酸化窒素、窒素、圧縮空気、および、これらの混合体の中から選択されていることを特徴とする請求項１ないし２１のいずれかに記載のスプレー機。
【請求項２３】
髪用ラッカーを微小液滴の形態で噴霧するための、請求項１ないし２２のいずれかに記載のスプレー機の使用。
【発明の詳細な説明】
本発明は、フィルム形成ポリマーを含有した液体製品のためのスプレー機に関するものである。より詳細には、このスプレー機は、加圧推進ガスを有する容器と、噴霧ノズルと、製品の噴霧を任意の時点で駆動するための、また噴霧されるべき製品を微小液滴またはミストの形態とするための噴霧バルブと、を備えた、エーロゾルスプレー機である。
本発明においては、噴霧されるべき製品は、少なくとも１つのフィルム形成ポリマーを含有した。水性のまたはヒドロアルコール性の化合物である。より詳細には、この化合物は、髪を保持するためのラッカー、ブラッシング用ローション、セット用ローション、あるいは、ヘアスタイリング用ローションといった、髪用化合物である。
従来、髪に噴霧されるべき髪用化合物は、不可欠的に、アルコール溶液またはヒドロアルコール溶液と、溶解されたポリマーと、を備えており、付加的に、様々な化粧用補助剤を含んでいる。通常、この溶液は、ポンプボトル、あるいは、適切な加圧容器内に収容されている。
ここ数年、本質的に水性の化粧用髪用化合物を得ることが、特に注目されている。実際、エタノールやイソプロパノールといったアルコール自身を使用することは、あるいは、このようなアルコールに小比率の水しか混合していない混合物として使用することは、ある種の欠点、とりわけ、可燃性という欠点を有することとなる。
さらに、経済的な理由からまた環境的な理由から、化粧用化合物内に含有されている、エタノールのような主には溶媒をなすものであって、雰囲気中に噴霧されることとなる、揮発性有機化合物の量を低減させようとする試みが増大している。
揮発性化合物の量を低減させるために、エタノールのような溶媒を、水で置換する試みがなされている。しかしながら、水性溶液中の水溶性フィルム形成用ポリマーの多くは、髪をセットするための化合物を得ることができるけれども、主要な欠点を有している。すなわち、これら水溶性ポリマーからなる水溶液は、本質的に、得られるべきセットの程度を大きくすることができない。これら水溶性ポリマーを高濃度で使用することが提案されているけれども、これらの濃度を大きくすれば、化合物の粘度が増加してしまうこととなり、結局、噴霧が困難となってしまう。仮に、適正な噴霧が得られたにしても、このような水性化合物は、アルコールベースの化合物と比較して、とりわけ長い乾燥時間を必要とするものであり、このことが、これら水溶性化合物の実用的価値を下げている。
また、溶解されたポリマーに代えて、ポリマーからなる不溶性粒子を水溶液中に分散させて使用することが提案されている。しかしながら、現在までのところ、得られた結果は、満足のいくものではない。特に、本出願人は、従来のエーロゾルスプレー機を使用して、媒質に対して不溶性とされた、特に水性媒質に対して不溶性とされた高濃度のポリマーを、噴霧しようとしたときには、噴霧の品質が満足のいくものではないことを見い出した。すなわち、霧化された液滴が微細ではなく、また、しばしば噴霧が広がらず、噴霧が不規則的となってしまう。水性分散媒質の過剰な乾燥時間を避けるために、本出願人は、製品の噴霧時のバルブの放出速度を下げることを試みた。このような状況においては、噴霧ノズルおよび／または噴霧バルブが、しばしば閉塞する傾向を有することがわかった。さらに、本出願人は、噴霧開口周辺に、フォームが形成されることを見い出した。このことは、噴霧品質を低減させる。さらに、このフォームは、容器上に流出し、使用者の指を汚すこととなる。
欧州特許出願公開明細書第０ ００８ １０９号により、液体製品を噴霧するための、あるいは、粒子分散体を噴霧するための、加圧スプレー機が公知である。このスプレー機には、バルブが設けられており、バルブは、主ボディと、付加的なガスを取り込むための予混合チャンバと、を備えている。製品は、毛細管ディップチューブを介して、このチャンバ内へと流入する。チャンバは、バルブボディと連通している。バルブボディは、噴霧ノズルに対する連通の目的のために休止状態には閉じている通路開口を有している駆動ステムを操作することにより、噴霧ノズルに対する連通を引き起こすことができる。バルブの放出速度は、毛細管チューブの断面積によって規定される。この文献によれば、噴霧されるべき製品の可燃性は、予混合チャンバ付きのバルブを使用することにより、低減される。
また、米国特許明細書第３ ６５３ ５５３号には、付加的なガスの取込と、予混合チャンバと、を備えたシーケンシャルバルブが設けられたスプレー機が開示されている。このバルブは、バルブから見てラインの下流側の噴霧ダクトを、純粋な加圧推進ガスのジェットによってパージできるように、構成されている。このバルブには、付加的なガス取込を導入するための予備チャンバが設けられている。駆動ステムの底部に設けられた屈曲ダクトが、この予備チャンバと、バルブボディの内部空間と、を連結している。駆動ステムの部分下降時には、加圧推進ガスが、予備チャンバ内に侵入する。これにより、予備チャンバ内の内部圧力が下降する。その結果、注入ダクトを通しての製品のいかなる注入をもが阻止される。バルブステムが完全に降下されたときには、ダクトは、ステムの突出によって閉塞される。そのため、ガス／製品混合物を噴霧することができる。この完全降下時には、予備チャンバの内部空間は、ステムの下部によって実質的に完全に占領される。そのため、噴霧位置においては、この予備チャンバは、実質的に空虚である。言い換えれば、噴霧位置において、このバルブは、実質的に、予備チャンバを備えていない。このようなデバイスにおいては、デバイスの上部におけるフォームの存在（とりわけ、噴霧開口周辺におけるフォームの存在）という問題が、実用的には発生する。
さらに、ベルギー国特許発明明細書第６６４ ９０５号には、同じ種類のバルブが開示されている。バルブボディの底部には、製品を取り込んで、付加的なガス取込とともに予混合チャンバへと導くための、開口が設けられている。予混合チャンバは、バルブの主チャンバに対して、通過開口を横切る弾性隔壁によって隔離されている。このバルブの駆動時には、弾性隔壁が、バルブボディの底部に向けて押し込まれ、その結果、予混合チャンバは、実質的に存在しないものとなる。このようなデバイスにおける問題点は、上記米国特許明細書第３ ６５３ ５５３号の問題点と同一である。
適正な霧化が、髪上に噴霧されるべき髪用組成物の適用における最終品質のための本質的な要件であることから、微粒子の良質な噴霧を得るために、また、頭髪全体にわたっての噴霧の良好な拡がりを得るために、上記欠点を克服することは、最も重要なことである。
本出願人は、以下において、通常使用されている放出速度よりも放出速度を下げることにより、また、適切な水性媒質中に少なくとも１つの不溶性ポリマーを含有しているような化粧用組成物に対して、特別のバルブを備えたスプレー機を適用することにより、噴霧ノズルの閉塞を、低減することができた、さらには、阻止することさえできたことを開示する。このバルブは、付加的なガスの取込を行うための製品／ガスの予混合チャンバと、バルブボディの内部を予混合チャンバに対して連通させる所定断面積の通路と、を備えた種類のものである。その結果、このバルブの放出速度は、この通路の断面積によって規定される。さらに、本出願人は、この特別のバルブを使用することによって、噴霧ノズル周辺へのフォーム形式が抑制されること、あるいは、いくつかの場合には、デバイスの適正な機能発揮に一切影響しないようなポイントに局在化されることを見い出した。
したがって、本発明は、少なくとも１つのフィルム形成ポリマーを含有した液体製品を微小液滴の形態で噴霧するためのスプレー機であって、前記液体、および、少なくとも１つの推進ガスを収容した容器と；該容器上に取り付けられ前記液体を噴霧するためのものであって、通路を介して相互連通された第１チャンバおよび第２チャンバが設けられたボディを備えたバルブと；前記製品を噴霧するために前記バルブを駆動するための可動手段と；を具備してなり、前記第１チャンバには、第１付加的ガス取込開口、および、前記液体と連通状態とされ前記液体を取り込むための第２開口が設けられ；前記第２チャンバは、少なくとも一部に前記駆動手段を含有し；前記液体は、前記製品の総重量の少なくとも１５％の比率で水を含有しているスプレー機を提供する。本出願人は、第１開口および第２開口の寸法を、第１開口の直径／第２開口の直径の比が約０．３〜１であるように選択することにより、かつ、バルブの放出速度を、通路の断面積によって規定することにより、良品質の噴霧（液滴のサイズ）が得られることを見い出した。
よって、本発明においては、良好な霧化を得ることができる。すなわち、噴霧が規則的であって、噴霧される液滴が微細である。製品は、髪全体にわたって容易に分散する。さらに、頭髪全体にわたっての乾燥時間が、短い。
製品および推進ガスが、これらの収容のための従来のエーロゾル容器内にパッケージされる。本発明の重要な見地においては、この貯蔵器には、例えば金属製キャップによって容器上に固定された、ダブルチャンバ型バルブが設けられている。有利には、この容器には、バルブ駆動のための手段が取り付けられている。バルブと、例えば噴霧ノズルのような噴霧用開口が設けられた噴霧ヘッドまたはプッシュボタンと、を連結している中空駆動ステムによって、例えば、バルブ駆動手段の固定が行われている。このノズルは、例えば独国特許出願公開明細書第１ ２０９ ５１７号に開示されているような従来の渦巻式あるいは準渦巻式のノズルとすることができる。つまり、ノズルを離れる前に、製品およびガス混合体の渦巻運動をもたらし得るようなノズルである。好ましくは、本発明において使用可能なバルブは、雄型バルブと称される、バルブボディから突出した駆動ステムを備えたバルブである。駆動ステムは、スプリングのようなバルブボディ内に収容された弾性復元部材を付勢可能に構成されている。また、ステムが取り付けられた噴霧ヘッドを備えた雌型バルブを使用することもできるし、また、側方変形バルブを使用することもできる。このバルブは、有利には、付加的ガス取込を備えている。
有利には、バルブステムは、バルブの休止位置においては閉塞され、かつ、製品の噴霧時には開放される噴霧ダクトを備えている。
第１および第２チャンバを備えて本発明において使用可能なバルブの例としては、米国特許明細書第３ １５９ ３１８号や欧州特許出願公開明細書第０ ４４５ ３５８号に記載されているような種類のバルブを挙げることができる。ただし、上述のように様々な通路の断面積が調整されていることが条件である。
好ましい実施形態においては、駆動手段の噴霧ダクトの直径は、チャンバどうしの間の通路の直径よりも大きいものとされており、例えば、約０．４ｍｍ〜約１．０ｍｍの直径とされている。
有利には、第１および第２バルブチャンバは、同一軸に沿って位置合わせされている。第１実施形態においては、第１および第２バルブチャンバは、通路が形成されている固定横方向隔壁によって隔離されている。好ましい第２実施形態においては、可動であって、駆動手段に連結されている。この場合、通路は、第１および第２バルブチャンバを連結する屈曲ダクトを形成しており、隔壁は、バルブボディを密封式にスライドするピストンの形態とされている。
本発明の他の有利な見地においては、この通路は、製品の放出速度が噴霧時において約２００ｍｇ／ｓ〜約６００ｍｇ／ｓとなるように選択された直径を有している。実用的には、通路は、製品の放出速度の所望値や製品粘度によって選択され、約０．２ｍｍ〜約０．５ｍｍの直径を有することができる。よって、通路を通った後に、製品は、この通路の直径よりも小さないかなる障害にも出くわすことがない。その結果、バルブの放出速度は、通路の断面積によって決定される。
有利には、第１開口と称される付加的ガス取込開口は、最大でも、第２開口と称される製品取込開口の直径に等しい直径を有している。
第２開口は、製品の取込コンジット内に形成された内部制限をなしている。ここを通って、製品は、容器から、バルブの第１チャンバに向けて、流通することができる。このコンジットは、例えば、その自由端が製品に恒久的に浸漬されたディップチューブである。
よって、第１開口は、約０．２ｍｍ〜約０．６ｍｍの直径とすることができ、また、第２開口（ｄ2）は、約０．２ｍｍ〜約０．６ｍｍの直径とすることができる。有利には、第１開口の直径は、最大でも、第２開口の直径に等しい。
有利には、スプレー機内に収容される製品は、髪を固定するためのラッカー、ブラッシング用ローション、セット用ローション、あるいは、ヘアスタイリングローションといった髪用製品である。
一般に、製品は、本質的に水性の媒質、あるいは、わずかにヒドロアルコール性の媒質を備えている。
本発明において使用される、製品のための支持体として機能する連続的に水性のあるいはヒドロアルコール性の媒質は、好ましくは、水によって構成されており、あるいは、好ましくは、一価アルコール、多価アルコール、および、グリコールエーテルといった化粧品的に受け入れられる溶媒と水との混合体によって構成されている。上記化粧品的に受け入れられる溶媒は、それ自身があるいは混合体中において、低濃度で使用することができる。さらに好ましくは、支持体は、本質的に、水によって構成されている。
ポリマーは、この媒質中に、溶解した形態で存在することができる。しかしながら、本発明による特別に有利な見地においては、ポリマーは、製品中に分散することができる。必要によっては、１つあるいは複数の可溶性ポリマーを、媒質中に分散されている１つあるいは複数のポリマーと、組み合わせることができる。
ポリマーが分散されたポリマーである場合には、粒径は、好ましくは、１μｍよりも小さい。
一般に、上記ポリマーは、カチオン性、アニオン性、両性、非イオン性のものとすることができる。
本発明において使用可能な、不溶性ポリマー粒子の水性分散は、一般に、従来より周知の手続きによって、モノマーの懸濁液またはエマルジョン中における重合または共重合によって得られる。そのような分散は、また、”ラテックス”の名称で知られている。好ましくは、ポリマーが”ラテックス”の形態をとったときに、ポリマーは、スチレン、ブタジエン、エチレン、プロピレン、トルエンビニル、プロピネートビニル、ビニルアルコール、アクリロニトリル、クロロプレン、ビニルアセテート、ウレタン、イソプレン、イソブテン、および、アクリル酸またはメタクリル酸、マイレン酸、クロトン酸またはイタコン酸、のエステルまたはアミド、ビニルエーテル、ビニルピロリドン、ビニルイミダゾール、および、これらのエステルおよびアミドの中から選択されたモノマーの重合または共重合の結果として得られたものである。
このような分散されたポリマーは、例えば、欧州特許出願公開明細書第０ ５９０ ６０４号に開示されている。
本発明において使用可能な水性ポリマー分散は、例えば、２５％重量の、エチルアクリレート／メチルメタクリレート／メタクリル酸／アクリル酸からなるコポリマーを備えている。このコポリマーは、約３０℃のガラス転移点を有するものであって、特に、ＡＭＥＲＣＨＯＬ社からＡＭＥＲＨＯＬＤ  ＤＲ−２５の商標名で市販されている。
本発明において適切な水性分散は、また、ブチルスチレン／アクリレートからなるコポリマーの水性分散である。このコポリマーは、例えば、Ｄ．Ｓ．Ｍ．Ｒｅｓｉｎｓ社からＵＲＡＭＵＬ  ＳＣ  ７０の商標名で市販されている。
本発明の有利な見地においては、（可溶性の、および／または、分散された）ポリマーは、製品の総重量の少なくとも１５％に等しい比率で存在している。特に、ポリマーの比率としては、製品の総重量の１５％〜５０％を選択することができ、好ましくは、製品の総重量（推進ガスを除く）の１５％〜３５％が選択される。
本発明の特に好ましい実施形態においては、重量で５０〜６０％のエチルアクリレートと、重量で３０〜４０％のメチルメタクリレートと、重量で２〜１０％のメタクリル酸と、を備えたコポリマーが使用される。この場合、アクリル酸およびメタクリル酸の総濃度は、アクリルポリマーの総重量に対して、重量で１５％を超えることがない。
本発明において目標とする製品のｐＨは、概して２〜９であり、特に３〜８である。製品のｐＨは、通常このタイプの応用に関して化粧品において使用されるアルカリ形成剤または酸形成剤により、所望値に調整することができる。
本発明による製品は、また、防腐剤、金属イオン封鎖剤、香水、シリコーン、着色剤、粘度調整剤、泡防止剤、皮膜形成防止剤、脂漏防止剤、日焼け防止フィルタ、タンパク質、ビタミン、可塑剤、あるいは、調整剤を含有することができる。これら調整剤は、オイル、天然または合成ワックス、脂肪アルコール、多価アルコールのエステル、グリセライド、ポリマー、および、これら様々な化合物の混合物の中から選択することができる。
本発明における製品は、上述の製品と、少なくとも１つの推進ガスと、を備えた適切なスプレー機内において、エーロゾルの形態で、加圧される。推進ガスは、ｎ−ブタン、プロパン、イソブタン、ペンタンといった揮発性ハイドロカーボン、塩素化されたハイドロカーボン、および／または、フッ化炭化水素、ジメチルエーテル、および、これらの混合物の中から選択することができる。
そのようなシステムにおいては、推進ガスの濃度（あるいは、複数の推進ガスの濃度）は、通常、加圧製品の総重量に対して、重量で１０〜５０％とされ、好ましくは、重量で１５〜３５％とされる。
推進ガスとしては、また、二酸化炭素、一酸化窒素、水素、加圧空気、および、これらの混合物を使用することができる。
本発明の好ましい実施形態においては、ポリマーの濃度は、好ましくは、加圧製品（製品＋推進ガス）の重量に対して、重量で少なくとも７％である。さらに好ましくは、重量で１０％〜３５％である。
本出願人は、付加的ガス取込を行う単一チャンババルブを使用した場合と比較して、上記のようなスプレー機および製品を使用することにより、また、上述のバルブ開口寸法を実施することにより、噴霧ノズルの出口におけるフォーム形成が一切起こらないことを見い出した。さらに、噴霧途中における閉塞が、一切起こらないことを確認した。また、噴霧品質は、噴霧開始から終了までにわたって、良好であり、かつ、（粒子サイズ、および、到着表面上における液滴の広がりという点において）一様である。
本発明をより明瞭に理解するために、以下、単に例示のためだけのものであって本発明を何ら制限するものではない本発明の２つの実施形態について、添付図面を参照して説明する。
図１は、本発明の第１実施形態をなすスプレー機の軸方向断面図であって、貯蔵位置が示されている。
図２は、図１に示すスプレー機の軸方向断面の一部を示す図であって、使用位置が示されている。
図３は、本発明の第２実施形態をなすスプレー機の軸方向断面図であって、貯蔵位置が示されている。
図１および図２には、フィルム形成ポリマーが分散されている髪用ラッカーＰのためのスプレー機が、全体的に参照符号１を付して示されている。髪用ラッカーＰは、推進ガスＧによって加圧され、ラッカーＰの微小液滴状態での噴霧がなされる。このスプレー機は、ラッカーＰのための貯蔵機をなす略円筒状容器２を備えている。容器２は、閉塞ボトム４が設けられている。図１において、ラッカーＰは、容器の下部に存在しており、容器の上部に位置している推進ガスによって構成されたガス相が上に載っている。容器２のうちのボトム４とは反対側端部は、円筒状ネック部８を備えたドーム６の形状に成形されている。円筒状ネック部８は、容器２の直径よりも小さな直径とされており、巻締環状端部１０を備えて終端している。例えば巻き締められることにより円筒状ネック部８に固定されたバルブキャリアカップ１２には、バルブ１５のボディ１４が、従来と同様にして内部に取り付けられている。バルブ１５は、押下タイプのバルブであって、容器２の外側へと突出している中空駆動ステム１６を備えている。噴霧ノズル２０が設けられたプッシュボタン１８が、ステム１６上に固定されている。ノズル２０は、例えば、公知の渦巻式のあるいは準渦巻式のノズル２０である。プッシュボタン１８の内部においては、屈曲した噴霧ダクト２２が、ノズル２０とステム１６とを連結している。
バルブ１５のボディ１４は、中心軸Ａと、実質的に円筒状の側壁２４と、環状ボトム２６と、ボトム２６の反対側端部に設けられるとともに弾性材料から形成されたシールワッシャー４０と、を備えている。これら部材は、チャンバ２８を形成している。ワッシャー４０は、ステム１６を、密封式に貫通している。
チャンバ２８は、２つの部分２８ａ、２８ｂから構成されている。チャンバ２８ａは、ボトム２６に隣接して位置しており、推進ガスＧ／ラッカーＰの予混合のためのチャンバをなしている。この目的のために、第１付加的ガス取込開口ｄ1が、ボトム２６の近辺において、バルブボディの側壁２４に設けられている。この開口ｄ1により、容器２の上部に存在している推進ガスＧは、チャンバ２８ａに対してアクセスすることができる。さらに、ボトム２６においては、第２中央孔ｄ2が形成されている。第２中央孔ｄ2は、容器２内に収容されたラッカーＰと連通するためのものである。開口ｄ2は、チャンバ２８ａ内への、ラッカーのアクセスの第１制限を行っている。ボトム２６からは、ボトム４へと向かう外部チューブ３０が延出されている。外部チューブ３０には、容器のボトム４にまで延出するディップチューブ３２が接続されている。
チャンバ２８ａ内には、螺旋状スプリング３４が配置されている。螺旋状スプリング３４の第１端部３５は、ボトム２６上に載置されている（図２参照）。螺旋状スプリング３４の反対側端部３６は、チャンバ２８内において軸方向移動可能に取り付けられているとともに可動隔壁をなしている環状ピストン３８に当接している。ピストン３８は、チャンバ２８の２つの部分２８ａ、２８ｂを隔離する周縁環状リップを有している。このピストン３８は、駆動ステム１６に対して同軸に連結されている。ステムは、チャンバ２８ｂ、ワッシャ４０、および、カップ１２の中央部を貫通している。ステム１６の突出部分には、ワッシャ４０のレベルにまで、ブラインド孔１７が貫通している。ワッシャ４０のレベルにおいて、孔１７に連通する噴霧ダクトｇが、ステム１６の側部から径方向に貫通しており、ワッシャ４０の厚さ部分に向けて開口している。さらに、ステム１６は、屈曲通路ｐを有している。屈曲通路ｐは、チャンバ２８ａの一側部に形成された軸方向ブラインド孔を備えて構成され、チャンバ２８ｂに対しては、通路ｐから径方向ダクト２９を介して連通している。ダクトｐの断面積は、ラッカーＰの噴霧時におけるバルブの放出速度を規定している。通路ｐは、約０．２ｍｍ〜約０．４ｍｍの直径とされている。この直径は、ラッカーの放出速度の所望値や、ラッカー粘度に応じて、選択される。
図２においては、第１チャンバ２８ａが、予混合チャンバをなしていることを詳細に示している。この予混合チャンバにおいては、使用者がプッシュボタン１８を矢印Ｆ方向に押し込んだときに、推進ガスＧとラッカーＰとが混合される。この押込時には、容器２の上部に存在している推進ガスが、開口ｄ1を通してチャンバ２８ａ内に流入する。同時に、ディップチューブ３２内への推進ガスＧの作用のもとに、ラッカーＰが上昇して、第２開口ｄ2を通してチャンバ２８ａへとアクセスする。
開口ｄ1、ｄ2は、最適の推進ガス／ラッカー比が得られるように、調整されている。開口ｄ2を通した製品Ｐの通過時には、製品は、チャンバ２８ａ内へと渦巻的に流入する。そして、製品内には、推進ガスからなるバブルが混入される。その後、ガス／製品の混合体は、第２制限部をなす通路ｐを流通する。ガス／製品の混合体は、通路ｐのレベルにおいて加速される。
第１開口ｄ1は、約０．２ｍｍ〜約０．６ｍｍの直径とされている。第２開口ｄ2の直径は、約０．２ｍｍ〜約０．６ｍｍとされている。
この混合体がチャンバ２８ｂ内に到達したときには、混合体は、膨張して、混合体の良好な一様化が促進される。その後、この混合体は、噴霧ダクトｇ、中空ステム１６、および、噴霧ダクト２２を経由して、最終的に、ノズル２０へと到達する。ノズル２０の出口においては、微小液滴からなる噴霧コーンの形態で、混合体が噴霧される。
図３は、図１のバルブとは異なるバルブ１１５を備え、変形例をなすスプレー機１０１の軸方向断面の一部を示している。図１のものと同一部分については、同一符号に１００を加えた符号を付し、その説明は繰り返さない。バルブ１１５は、２つの部分からなるボディ１２４を備えている。２つの部分とは、上部１２４ｂと下部１２４ａとであり、これらは、同軸であるとともに、同一径とされ、チャンバ１２８を画成している。このチャンバ１２８は、下部１２４ａに属する横方向隔壁１２６によって、２つの部分１２８ａ、１２８ｂに分割されている。図１の実施形態に対して、この隔壁は、固定されている。横方向隔壁１２６は、中央開口ｐを備えており、これによって、２つのチャンバ１２８ａ、１２８ｂ間の連通が確保されている。駆動ステム１１６は、ピストンを有していない。ステムのうちのチャンバ１２８ｂ内に収容された部分には、環状突出部１３６が設けられている。環状突出部１３６は、弾性復元性スプリング１３４の自由端１３４ａに当接している。部分１２４ａは、ボトム１２５を有している。ボトム１２５には、製品のアクセスの第２の制限部をなすとともに、容器１０２内に収容されたラッカーの部分１２４ａ内への流入を可能とする開口ｄ2が孔開けされている。
このスプレー機１０１の機能については、図１に示すスプレー機の機能と同様である。
実験例
髪用ラッカーＰとして、以下の組成のものが準備された。
分散体としてのＡＭＥＲＨＯＬＤ  ＤＲ  ２５(1)     １０ｇ
溶液としてのＭＥＸＯＭＥＲ  ＰＷ(2)               １０ｇ
メチルエーテルポリオキシプロピレン(3)               １ｇ
香水                                                ｑｓ
水                                      ｑｓｐ  １００ｇ
(1)ＡＭＥＲＨＯＬＤ  ＤＲ  ２５は、ＡＭＥＲＣＨＯＬ社から市販されているもので、水性分散されたエチルアクリレート／メチルメタクリレート／メタクリル酸／アクリル酸からなるコポリマーである。
(2)ＭＥＸＯＭＥＲ  ＰＷは、ＣＨＩＭＥＸ社から市販されている非イオン性ポリマーであって、ビニルアセテート／ビニルｐ−ターシャリブチルベンゾエート／クロトン酸からなるテルポリマーである。
加圧プランとしては、３００ｍｌ容量のエーロゾル容器を２つ準備する。一方（ここでは、スプレー機１と称す）には、上記のようなダブルチャンバを備えたバルブが取り付けられ、他方（ここでは、スプレー機２と称す）には、従来の付加的ガス取込バルブ（ＶＡＬＶＥ  ＰＲＥＣＩＳＩＯＮ社から市販されている０．４ｍｍ渦巻式ノズルを備えたＡＱＵＡＳＯＬバルブ）が取り付けられ、
ジメチルエーテル（推進ガス）    ７０ｇ
上記ラッカーＰ                １３０ｇ
が収容された。
本発明によるスプレー機は、ｄ1＝０．３ｍｍ、ｄ2＝０．４５ｍｍ、ｐ＝０．３３ｍｍ、ｇ＝０．４５ｍｍという特性を有したダブルチャンババルブを備えている。このバルブには、ＭＡＣＨIIIという商標名でＶＡＬＶＥ  ＰＲＥＣＩＳＩＯＮ社から入手可能な準渦巻式ノズルが連結された。
推進ガスが使用され尽くすまでの噴霧結果は、次のようなものであった。
0003724812.tif 000002
上記結果は、本発明のスプレー機１による噴霧性能が、従来技術のスプレー機２による噴霧性能よりも、明瞭に良好であること、および、従来品が本発明と一致していないこと、を示している。
【図１】
0003724812.tif 000003
【図２】
0003724812.tif 000004
【図３】
0003724812.tif 000005